(57)【要約】【課題】電波を送受信する場合に、十分な効率を得ることができるとともに、着雪による信号減衰を回避する機能を具備した電波レンズアンテナ装置を提供することを目的とする。【解決手段】電波レンズアンテナ装置５０において、ルーネベルグレンズ１の半径をＲ、ルーネベルグレンズ１の中心からカバー部材５までの距離をＲ１とした場合に、Ｒ＜Ｒ１なる関係が成立しており、また、反射板２を、地面２１に対して垂直に起立させた状態において、ルーネベルグレンズ１の中心から垂直上方に距離ａ離れた反射板２の任意の点Ａを通り、地面２１に水平な面における、任意の点Ａとカバー部材５の本体部７との距離をＲＡとし、かつ、ルーネベルグレンズ１の中心から垂直上方に、距離ａよりも長い距離ｂ離れた反射板２の任意の点Ｂを通り、地面２１に水平な面における、任意の点Ｂとカバー部材５の本体部７との距離をＲＢとした場合に、ＲＡ＜ＲＢなる関係が成立する。【選択図】図２
2008109458.tif 000002
【特許請求の範囲】
【請求項１】
半球状のルーネベルグレンズと、前記ルーネベルグレンズのレンズ中心を通る面に取り付けられ、前記ルーネベルグレンズの径よりも大きな径を有する反射板と、前記ルーネベルグレンズの焦点部に配置された少なくとも１個の一次放射器と、前記一次放射器を保持する保持部材と、前記反射板に取り付けられ、前記ルーネベルグレンズを保護するカバー部材とを備える電波レンズアンテナ装置において、
前記ルーネベルグレンズの半径をＲ、前記ルーネベルグレンズの中心を通り、地面に水平な面における、前記ルーネベルグレンズの中心から前記カバー部材までの距離をＲ１とした場合に、Ｒ＜Ｒ１なる関係が成立し、
前記反射板を、前記地面に対して垂直に起立させた状態において、前記ルーネベルグレンズの中心から垂直上方に距離ａ離れた前記反射板の任意の点Ａを通り、前記地面に水平な面における、前記任意の点Ａと前記カバー部材との距離をＲＡとし、かつ、前記ルーネベルグレンズの中心から垂直上方に、前記距離ａよりも長い距離ｂ離れた前記反射板の任意の点Ｂを通り、前記地面に水平な面における、前記任意の点Ｂと前記カバー部材との距離をＲＢとした場合に、ＲＡ＜ＲＢなる関係が成立することを特徴とする電波レンズアンテナ装置。
【請求項２】
前記反射板を、前記地面に対して垂直に起立させた状態において、前記電波レンズアンテナ装置が電波の送受信を行う衛星の仰角をφsとし、かつ、前記衛星の方位角方向における、前記反射板の最上部を通り、前記地面に水平な面と、前記カバー部材の上部とのなす角度をφcとした場合に、φc＞φsなる関係が成立することを特徴とする請求項１に記載の電波レンズアンテナ装置。
【請求項３】
前記カバー部材が、ポリエチレン樹脂、ポリプロピレン樹脂、ポリスチレン樹脂、およびフッ素樹脂から選ばれる少なくとも１つにより形成されていることを特徴とする請求項１または請求項２に記載の電波レンズアンテナ装置。
【請求項４】
前記反射板を、前記地面に対して垂直に起立させた状態において、前記カバー部材の下端部が、前記一次放射器よりも下方に延設されていることを特徴とする請求項１乃至請求項３のいずれかに記載の電波レンズアンテナ装置。
【請求項５】
前記カバー部材が、前記ルーネベルグレンズの外表面と接触していることを特徴とする請求項１乃至請求項３のいずれかに記載の電波レンズアンテナ装置。
【請求項６】
前記ルーネベルグレンズの外表面を覆う他のカバー部材が更に設けられていることを特徴とする請求項１乃至請求項５のいずれかに記載の電波レンズアンテナ装置。
【発明の詳細な説明】
【技術分野】
【０００１】
本発明は、電波を送受信する電波レンズを用いた電波レンズアンテナ装置に関する。
【背景技術】
【０００２】
近年、情報通信技術のめざましい発達に伴い、電波により伝達される信号情報の高品質化、正確性、及び迅速性が要求されており、それに伴い、大容量通信放送（ハイビジョン、ＨＤＴＶ等）が本格化している。そして、衛星通信においては、静止衛星を用い、このような静止衛星との通信を行う際には、一般に、パラボラアンテナが使用されている。
【０００３】
ここで、このようなパラボラアンテナは、一般に、屋外等の雨風等の気象条件の影響を受けやすい場所に設置され、特に、着雪や着氷による被害を受け易い。そこで、パラボラアンテナを着雪や着氷から保護するアンテナ装置が提案されている。
【０００４】
より具体的には、例えば、放物面を有し、地面に対して仰角方向に集波面を向けて設置される反射鏡と、反射鏡の前面に集波面を覆って設置されるレドームとを有するレドーム付のパラボラアンテナ装置が提案されている。そして、当該レドームは、反射鏡前面を上下に遮るセンターフレームと、センターフレームに接続する一対の屈曲したサイドフレームと、これらのセンターフレーム、およびサイドフレームとを含むレドームフレームをレドームシートで覆うことによって構成されており、センターフレームとサイドフレームが形成する一対のレドーム平面は、鉛直方向に対して０°を含む俯角に設置されている。このような構成により、着雪や着氷の防止効果に優れたレドーム付きのアンテナ装置を提供することができると記載されている（例えば、特許文献１参照）。
【特許文献１】特開２００４−３２０２８３号公報
【発明の開示】
【発明が解決しようとする課題】
【０００５】
しかし、上記従来のパラボラアンテナ装置においては、最も電波の集中する反射鏡の集波面の前面にセンターフレームとサイドフレームが設置されているため、当該センターフレームとサイドフレームが電波を受信する際の障害になり、これらのセンターフレームとサイドフレームに起因する効率の低下やサイドローブの上昇が発生する場合がある。
【０００６】
また、上記従来のパラボラアンテナ装置においては、反射鏡の集波面が、地面に対して仰角方向に向けて設置されており、かつ、反射鏡から、当該反射鏡の焦点までの距離が長いため、レドームが取り付けられた反射鏡から、積雪等の影響を受け易い一次放射器までの距離も長くなる。このような構成の下、センターフレームとサイドフレームが形成する一対のレドーム平面を、鉛直方向に対して０°を含む俯角に設置すると、レドームのサイズが大きくなり、アンテナ装置の小型化を図ることができないという問題があった。また、このように、レドームのサイズが大掛かりなものとなるため、風圧も受け易くなり、台風の襲来など、強風にさらされる地域に設置される場合に、耐風性に劣るという問題があった。さらに、当該耐風性を向上させるためには、レドーム自体を、非常に頑丈な設計にしなければならず、アンテナ装置の設計が複雑になるという問題があった。
【０００７】
そこで、本発明は、上述の問題に鑑みてなされたものであり、電波を送受信する場合に、十分な効率を得ることができるとともに、サイドローブの上昇を回避することができる電波レンズアンテナ装置を提供することを目的とする。
【課題を解決するための手段】
【０００８】
上記目的を達成するために、請求項１に記載の発明は、半球状のルーネベルグレンズと、ルーネベルグレンズのレンズ中心を通る面に取り付けられ、ルーネベルグレンズの径よりも大きな径を有する反射板と、ルーネベルグレンズの焦点部に配置された少なくとも１個の一次放射器と、一次放射器を保持する保持部材と、反射板に取り付けられ、ルーネベルグレンズを保護するカバー部材とを備える電波レンズアンテナ装置において、ルーネベルグレンズの半径をＲ、ルーネベルグレンズの中心を通り、地面に水平な面における、ルーネベルグレンズの中心からカバー部材までの距離をＲ１とした場合に、Ｒ＜Ｒ１なる関係が成立し、反射板を、地面に対して垂直に起立させた状態において、ルーネベルグレンズの中心から垂直上方に距離ａ離れた反射板の任意の点Ａを通り、地面に水平な面における、任意の点Ａとカバー部材との距離をＲＡとし、かつ、ルーネベルグレンズの中心から垂直上方に、距離ａよりも長い距離ｂ離れた反射板の任意の点Ｂを通り、地面に水平な面における、任意の点Ｂとカバー部材との距離をＲＢとした場合に、ＲＡ＜ＲＢなる関係が成立することを特徴とする。
【０００９】
同構成によれば、送受信される電波が透過するカバー部材への着雪や着氷を効果的に防止することができ、また、上記従来のパラボラアンテナ装置とは異なり、電波を受信する際の障害になるセンターフレームやサイドフレームが不要になるため、電波を送受信する場合に、十分な効率を得ることができるとともに、サイドローブの上昇を回避することができる。従って、降雪等による影響を受け難く、電波の送受信感度に優れた電波レンズアンテナ装置を提供することができる。
【００１０】
また、上記従来のパラボラアンテナ装置におけるレドームに比し、カバー部材のサイズを小さくすることができる。更に、ルーネベルグレンズを使用しているため、上記従来のパラボラアンテナ装置の反射鏡を使用する場合に比し、ルーネベルグレンズから、該ルーネベルグレンズの焦点までの距離を短くすることができる。従って、一次放射器をルーネベルグレンズに近接して設けることができるため、反射板から一次放射器までの距離を短くすることができる。その結果、電波レンズアンテナ装置の小型化を図ることができる。また、カバー部材のサイズを小さくすることができるため、上記従来のパラボラアンテナ装置におけるレドームに比し、風圧も受け難くなる。従って、台風の襲来など、強風にさらされる地域に設置される場合においても、耐風性に優れた電波レンズアンテナ装置を提供することができるとともに、電波レンズアンテナ装置の設計を簡素化することが可能になる。
【００１１】
請求項２に記載の発明は、請求項１に記載の電波レンズアンテナ装置であって、反射板を、地面に対して垂直に起立させた状態において、電波レンズアンテナ装置が電波の送受信を行う衛星の仰角をφsとし、かつ、衛星の方位角方向における、反射板の最上部を通り、地面に水平な面と、カバー部材の上部とのなす角度をφcとした場合に、φc＞φsなる関係が成立することを特徴とする。
【００１２】
同構成によれば、カバー部材の上部に積雪が生じた場合においても、カバー部材の上部に積もった雪や、雪の融水が、カバー部材の、送受信される電波が透過する部分へ移動するのを回避することができる。従って、積雪が生じた場合においても、電波の送受信感度に優れた電波レンズアンテナ装置を提供することができる。
【００１３】
請求項３に記載の発明は、請求項１または請求項２に記載の電波レンズアンテナ装置であって、カバー部材が、ポリエチレン樹脂、ポリプロピレン樹脂、ポリスチレン樹脂、およびフッ素樹脂から選ばれる少なくとも１つにより形成されていることを特徴とする。
【００１４】
同構成によれば、誘電体損失の小さいポリエチレン、ポリプロピレン、ポリスチレン等のポリオレフィン樹脂やフッ素樹脂を使用するため、カバー部材を透過する電波のロスを低減することができる。従って、降雨や降雪時においても、良好な電波透過性を確保することができる。また、これらの材料は、繊維強化プラスチック（ＦＲＰ）材に比し、誘電率が低いため、電波の反射が起こり難く、サイドローブの上昇を効果的に抑制することができる。
【００１５】
請求項４に記載の発明は、請求項１乃至請求項３のいずれかに記載の電波レンズアンテナ装置であって、反射板を、地面に対して垂直に起立させた状態において、カバー部材の下端部が、一次放射器よりも下方に延設されていることを特徴とする。同構成によれば、一次放射器を、着雪や着氷から保護することが可能になるため、電波の送受信感度の低下を一層効果的に防止することができる。
【００１６】
請求項５に記載の発明は、請求項１乃至請求項３のいずれかに記載の電波レンズアンテナ装置であって、カバー部材が、ルーネベルグレンズの外表面と接触していることを特徴とする。同構成によれば、反射板に固定されたカバー部材の強度を向上させることができるとともに、電波レンズアンテナ装置の耐風性を一層向上させることが可能になる。
【００１７】
請求項６に記載の発明は、請求項１乃至請求項５のいずれかに記載の電波レンズアンテナ装置であって、ルーネベルグレンズの外表面を覆う他のカバー部材が更に設けられていることを特徴とする。同構成によれば、ルーネベルグレンズを着雪や着氷から確実に保護することが可能になる。
【発明の効果】
【００１８】
本発明によれば、降雪等による影響を受け難く、電波の送受信感度に優れた電波レンズアンテナ装置を提供することができる。また、電波レンズアンテナ装置の小型化を図ることができる。さらに、耐風性に優れた電波レンズアンテナ装置を提供することができるとともに、電波レンズアンテナ装置の設計を簡素化することができる。
【発明を実施するための最良の形態】
【００１９】
以下に、本発明の好適な実施形態について説明する。図１は、本発明の実施形態に係る電波レンズアンテナ装置の全体構成を示す概略図であり、図２は、本発明の実施形態に係る電波レンズアンテナ装置の全体構成を示す部分断面図である。図１に示すように、この電波レンズアンテナ装置５０は、１個の送受信用の電波レンズである半球状のルーネベルグレンズ１と、ルーネベルグレンズ１のレンズ中心を通る面に取り付けられ、当該ルーネベルグレンズ１の径よりも大きな径を有する反射板２とを備えている。また、電波レンズアンテナ装置５０は、ルーネベルグレンズ１の焦点部に配置された少なくとも１個の一次放射器３と、当該一次放射器３を保持する保持部材４とを備えている。
【００２０】
ルーネベルグレンズ１は、中心の球核とそれを取り巻く複数の異径球殻により半球形状のレンズとして形成され、誘電体を用いて比誘電率が径方向に所定の割合で変化するように形成されたものである。このルーネベルグレンズ１は、各球殻部の比誘電率εγが、およそεγ＝２−（ｒ／Ｒ）2 の式に従うように形成されており、中心部の比誘電率を約２に設定するとともに、当該中心部から外側へ向かって誘電率が約１となるように変化させたものである。なお、上記式において、Ｒは球の半径であり、ｒは球の中心からの距離である。また、本実施形態においては、ルーネベルグレンズ１の直径が、例えば、６００ｍｍや４５０ｍｍのものが使用できる。また、誘電体とは、常誘電性、強誘電性、若しくは反強誘電性を示し、かつ電気伝導性を有さないものをいう。
【００２１】
このルーネベルグレンズ用の誘電体として一般的に用いられているものは、例えば、ポリエチレン樹脂、ポリプロピレン樹脂、ポリスチレン樹脂等のポリオレフィン系の合成樹脂の発泡体であり、当該合成樹脂に酸化チタン、チタン酸塩、ジルコン酸塩等の無機高誘電フィラーを加えてそれを発泡させたものも使用できる。そして、これらの誘電発泡体の比誘電率は、発泡倍率を異ならせて比重を制御することにより目標値に調整され、高比重である程高い比誘電率を得ることができる。
【００２２】
また、誘電発泡体の製造方法としては、例えば、揮発性発泡剤を含浸させたペレット状材料を予め金型外で予備発泡させ、得られた予備発泡ビーズを所望形状の金型に充填した後、水蒸気等で加熱して再度発泡させると同時に、隣接ビーズを互いに融着させるビーズ発泡法が挙げられる。また、原料（合成樹脂単体や合成樹脂と無機高誘電フィラーの混合物）に対して、加熱により分解して窒素ガス等の気体を発生する発泡剤を添加し、これを所望の形状の金型に入れて発泡させる化学発泡法が挙げられる。
【００２３】
反射板２は、上述のごとく、ルーネベルグレンズ１の径よりも大きな径を有しており、反射面の一部を、電波の到来方向に向けてルーネベルグレンズ１の外側にはみ出させる構成となっている。また、本実施形態の電波レンズアンテナ装置５０は、図２に示すように、反射板２を、壁２０等に取り付けることにより、反射板２を地面２１に対して垂直に起立させた状態で使用する構成となっている。
【００２４】
一次放射器３は、その断面形状が略矩形状や略円形状の開口部を有する電磁ホーンアンテナや、導波管に誘電体ロッドを装着した誘電体ロッドアンテナ等が一般的に使用されるが、マイクロストリップアンテナや、スロットアンテナ等を使用することもできる。また、一次放射器３から送受信される電波の電界の方向性（偏波）は、直線偏波（例えば、垂直偏波や水平偏波）や円偏波（例えば、右旋偏波や左旋偏波）のいずれであっても良い。
【００２５】
また、ルーネベルグレンズ１の外表面１ａに沿って湾曲した形状を有するとともに、反射板２に支持され、ルーネベルグレンズ１の外表面１ａに沿って移動自在に設けられた保持部材４により、一次放射器３が保持される構成となっている。そして、保持部材４を、ルーネベルグレンズ１の外表面１ａに沿って移動させると、一次放射器３が、保持部材４の移動動作に連動して、ルーネベルグレンズ１の外表面１ａに沿って移動する構成となっている。
【００２６】
ここで、本実施形態の電波レンズアンテナ装置５０においては、反射板２に取り付けられ、ルーネベルグレンズ１を保護するカバー部材５を備えている点に特徴がある。このカバー部材５は、図２に示すように、カバー部材５の上部６の外端部６ａが、ルーネベルグレンズ１の外表面１ａから外方（即ち、図２に示す矢印Ｘの方向）に向けて突設されており、ルーネベルグレンズ１の半径をＲ、当該ルーネベルグレンズ１の中心Ｃを通り、地面２１に水平な面３０における、ルーネベルグレンズ１の中心Ｃからカバー部材５までの距離をＲ１とした場合に、Ｒ＜Ｒ１なる関係が成立するように構成されている。
【００２７】
このカバー部材５を構成する材料は、良好な電波透過性を有する樹脂材料であれば、特に制限はないが、ポリエチレン、ポリプロピレン、ポリスチレン等のポリオレフィン樹脂やフッ素樹脂を用いることが好ましい。
【００２８】
また、カバー部材５の反射板２への取り付けは、当該カバー部材５の縁部をねじやボルトで反射板２に固定する。より具体的には、図１に示すように、カバー部材５の縁部に取り付け用のフランジ部８を設けて、ねじ９により、カバー部材５を反射板２に固定する構成とすることができる。このような構成により、カバー部材５の内側への雨水や雪等の流れ込みを効果的に防止することが可能になる。なお、樹脂製のボルト等を使用して、カバー部材５を、反射板２に対して着脱自在となるように設けても良い。
【００２９】
また、カバー部材５の厚みは、アンテナの電気的性能の低下を抑制するとの観点から、カバー部材５の電波が透過する部分（即ち、本体部７）において、３ｍｍ以下、より好ましくは１ｍｍ以下とするのがよい。また、カバー部材５の厚みは一定である必要なく、当該厚みが変化する構成としてもよい。
【００３０】
また、本実施形態にいては、上述の、Ｒ＜Ｒ１なる関係が成立するように構成されているとともに、図２に示すように、反射板２を、地面２１に対して垂直に起立させた状態において、ルーネベルグレンズ１の中心Ｃから垂直上方（即ち、図中の矢印Ｙの方向）に距離ａ離れた反射板２の任意の点Ａを通り、地面２１に水平な面２２における、任意の点Ａとカバー部材５の本体部７との距離をＲＡとし、かつ、ルーネベルグレンズ１の中心から垂直上方に、距離ａよりも長い距離ｂ（即ち、ａ＜ｂ）離れた反射板２の任意の点Ｂを通り、地面２１に水平な面２３における、任意の点Ｂとカバー部材５の本体部７との距離をＲＢとした場合に、ＲＡ＜ＲＢなる関係が成立する構成となっている。
【００３１】
このような構成により、送受信される電波が透過するカバー部材５の本体部７への着雪や着氷を効果的に防止することができ、また、上記従来のパラボラアンテナ装置とは異なり、電波を送受信する際の障害になるセンターフレームやサイドフレームが不要になるため、電波を送受信する場合に、十分な効率を得ることができるとともに、サイドローブの上昇を回避することができる。従って、降雪等による影響を受け難く、電波の送受信感度に優れた電波レンズアンテナ装置５０を提供することができる。
【００３２】
また、上記従来のパラボラアンテナ装置におけるレドームに比し、カバー部材５のサイズを小さくすることができる。更に、電波レンズアンテナ装置５０においては、ルーネベルグレンズ１を使用しているため、上記従来のパラボラアンテナ装置の反射鏡を使用する場合に比し、ルーネベルグレンズ１から、当該ルーネベルグレンズ１の焦点までの距離を短くすることができる。従って、一次放射器３をルーネベルグレンズ１に近接して設けることができるため、反射板２から一次放射器３までの距離を短くすることができる。その結果、電波レンズアンテナ装置５０の小型化を図ることができる。また、カバー部材５のサイズを小さくすることができるため、上記従来のパラボラアンテナ装置におけるレドームに比し、風圧も受け難くなる。従って、台風の襲来など、強風にさらされる地域に設置される場合においても、耐風性に優れた電波レンズアンテナ装置５０を提供することができるとともに、電波レンズアンテナ装置５０の設計を簡素化することが可能になる。
【００３３】
また、本実施形態にいては、図３に示すように、反射板２を、地面２１に対して垂直に起立させた状態において、電波レンズアンテナ装置５０が電波の送受信を行う衛星Ｓの仰角をφs、方位角をθsとし、かつ、方位角θs方向における、反射板２の最上部２ａを通り、地面２１に水平な面２４と、カバー部材５の上部６とのなす角度をφcとした場合に、φc＞φsなる関係が成立する構成となっている。
【００３４】
このような構成により、カバー部材５の上部６に積雪が生じた場合においても、カバー部材５の上部に積もった雪や、当該雪の融水が、送受信される電波が透過するカバー部材５の本体部７へと移動するのを回避することができる。従って、積雪が生じた場合においても、電波の送受信感度に優れた電波レンズアンテナ装置５０を提供することができる。
【００３５】
また、上記従来のパラボラアンテナ装置においては、耐食性や耐熱性等を向上させるために、レドームフレームに、ガラスファイバーに熱硬化性樹脂を含浸させて硬化させた繊維強化プラスチック（ＦＲＰ）材が使用されている。しかし、当該ガラスファイバーは、誘電体損失が大きいため、透過する電波のロスが大きくなる。また、ガラスファイバーは、誘電率が高いため、電波の反射が起こり易く、サイドローブの上昇が発生する等の指向性が低下する。
【００３６】
一方、本実施形態においては、上述のごとく、カバー部材５を構成する材料として、誘電体損失の小さいポリエチレン、ポリプロピレン、ポリスチレン等のポリオレフィン樹脂やフッ素樹脂を用いることにより、カバー部材５を透過する電波のロスを低減することができる。従って、降雨や降雪時においても、良好な電波透過性を確保することができる。また、これらの材料は、上述の繊維強化プラスチック（ＦＲＰ）材に比し、誘電率が低いため、電波の反射が起こり難く、サイドローブの上昇を効果的に抑制することができる。
【００３７】
なお、上記実施形態は以下のように変更しても良い。
・図４に示すように、反射板２を、地面２１に対して垂直に起立させた状態において、カバー部材５の本体部７の下端部７ａを、一次放射器３よりも下方（即ち、図中の矢印Ｚの方向）に延設する構成としてもよい。このような構成により、一次放射器３を、着雪や着氷から保護することが可能になるため、電波の送受信感度の低下を一層効果的に防止することができる。
【００３８】
・また、図５に示すように、カバー部材５の本体部７を、ルーネベルグレンズ１の外表面１ａと接触させる構成としてもよい。このような構成により、反射板２に固定されたカバー部材５の強度を向上させることができるとともに、電波レンズアンテナ装置５０の耐風性を一層向上させることが可能になる。
【００３９】
・また、図６に示すように、ルーネベルグレンズ１の外表面１ａを覆う他のカバー部材１０を更に設ける構成としてもよい。このような構成により、ルーネベルグレンズ１を着雪や着氷から確実に保護することが可能になる。なお、当該カバー部材１０を構成する材料は、上述のカバー部材５と同様に、良好な電波透過性を有する樹脂材料であれば、特に制限はないが、ポリエチレン、ポリプロピレン、ポリスチレン等のポリオレフィン樹脂やフッ素樹脂を用いることが好ましい。また、カバー部材１０の厚みは、アンテナの電気的性能の低下を抑制するとの観点から、３ｍｍ以下、より好ましくは１ｍｍ以下とするのがよい。また、カバー部材５の厚みは一定である必要なく、当該厚みが変化する構成としてもよい。
【００４０】
・また、上記実施形態においては、反射板２を地面２１に対して垂直に起立させた状態で使用する構成としたが、本発明の電波レンズアンテナ装置５０においては、当該反射板２を地面２１に対して前傾姿勢に傾けた状態や、反射板２を地面２１に対して略平行にした状態で使用する構成としてもよい。
【産業上の利用可能性】
【００４１】
本発明の活用例としては、電波を送受信する電波レンズを用いた電波レンズアンテナ装置が挙げられる。
【図面の簡単な説明】
【００４２】
【図１】本発明の実施形態に係る電波レンズアンテナ装置の全体構成を示す概略図である。
【図２】本発明の実施形態に係る電波レンズアンテナ装置の全体構成を示す部分断面図である。
【図３】本発明の実施形態に係る電波レンズアンテナ装置の全体構成を示す部分断面図である。
【図４】本発明の実施形態に係る電波レンズアンテナ装置の変形例を説明するための図である。
【図５】本発明の実施形態に係る電波レンズアンテナ装置の変形例を説明するための図である。
【図６】本発明の実施形態に係る電波レンズアンテナ装置の変形例を説明するための図である。
【符号の説明】
【００４３】
１…ルーネベルグレンズ、１ａ…ルーネベルグレンズの外表面、２…反射板、２ａ…反射板の最上部、３…一次放射器、４…保持部材、５…カバー部材、６…カバー部材の上部、６ａ…カバー部材の上部の外端部、７…カバー部材の本体部、７ａ…カバー部材の本体部の下端部、１０…他のカバー部材、２０…壁、２１…地面、２２…反射板の任意の点Ａを通り、地面に水平な面、２３…反射板の任意の点Ｂを通り、地面に水平な面、２４…反射板の最上部を通り、地面に水平な面、３０…ルーネベルグレンズの中心を通り、地面に水平な面、５０…電波レンズアンテナ装置、Ａ…反射板を、地面に対して垂直に起立させた状態において、ルーネベルグレンズの中心から垂直上方に距離ａ離れた反射板の任意の点、Ｂ…ルーネベルグレンズの中心から垂直上方に、距離ａよりも長い距離ｂ離れた反射板の任意の点、Ｃ…ルーネベルグレンズの中心、Ｒ…ルーネベルグレンズの半径、Ｒ１…ルーネベルグレンズの中心からカバー部材までの距離、ＲＡ…地面に水平な面における、任意の点Ａとカバー部材の本体部との距離、ＲＢ…地面に水平な面における、任意の点Ｂとカバー部材の本体部との距離、Ｓ…衛星
【図１】
2008109458.tif 000003
【図２】
2008109458.tif 000004
【図３】
2008109458.tif 000005
【図４】
2008109458.tif 000006
【図５】
2008109458.tif 000007
【図６】
2008109458.tif 000008